(57)【特許請求の範囲】
【請求項１】
磁気ギャップを形成した磁気回路と、この磁気回路との結合部の表面が金属となるように金属部品を一体にインサート成型した樹脂フレームと、上記磁気ギャップにはまり込むボイスコイルを中心に結合し外周を上記樹脂フレームに結合した振動板とで構成されたスピーカ。
【請求項２】
磁気ギャップを形成した磁気回路と、この磁気回路の上面に結合された樹脂フレームと、上記磁気ギャップにはまり込むボイスコイルを中心に結合し少なくとも外周が上記樹脂フレームに一体にインサート成型された金属部品の表面に結合された振動板とで構成されたスピーカ。
【請求項３】
磁気ギャップを形成した磁気回路と、この磁気回路の上面に結合された樹脂フレームと、上記磁気ギャップにはまり込むボイスコイルを中心に結合し外周が上記樹脂フレームに結合された振動板と、内周が上記ボイスコイルに結合され少なくとも外周の一部が上記樹脂フレームに一体にインサート成型された金属部品の表面に結合されたサスペンションとで構成されたスピーカ。
【発明の詳細な説明】
【０００１】
【発明の属する技術分野】
本発明は各種音響機器に使用されるスピーカに関するものである。
【０００２】
【従来の技術】
従来のスピーカを図３の半断面図により説明する。
【０００３】
同図において、２はセンターポールを有する下部プレート５、リング状のマグネット６、同じくリング状の上部プレート７によって構成された磁気回路であり、この磁気回路２の上面には樹脂フレーム１が結合されている。また、８はボイスコイルであり、下部が上記磁気回路２の磁気ギャップ９に偏心することなくはまり込むようにサスペンション４がボイスコイル８の中間部を支持している。このサスペンション４の外周部は樹脂フレーム１に結合されている。
【０００４】
また、３は振動板であり、その外周部はガスケット１０を介して樹脂フレーム１に結合されるとともに、この振動板３の中央部とボイスコイル８の上部が結合されている。
【０００５】
１１は上記振動板３の中央上面に結合されたダストキャップ１１であり、１２はボイスコイル８の両端のリード線であり、振動板３の面上にかしめられたそれぞれのハトメ１３でそれぞれの錦糸線１４と半田付けされ、この錦糸線１４の他端は樹脂フレーム１に固定されたコネクタ端子１５の端子１６に半田付け接続されている。
【０００６】
なお、リード線１２は接着剤が塗布されて振動板３に結合されている。
また、種々述べた結合（樹脂フレーム１と磁気回路２、振動板３またはサスペンション４）には接着剤を用いて結合されるのが最も一般的な方法である。
【０００７】
以上のように構成された従来のスピーカについて、以下にその動作について説明すると、入力信号がコネクタ端子１５から端子１６、錦糸線１４を通ってボイスコイル８に印加されると、フレミングの左手の法則に従ってボイスコイル８が駆動し、この駆動力によって振動板３が振幅して空気中に音を放射するものである。
【０００８】
【発明が解決しようとする課題】
しかしながら上記従来の構成では、樹脂フレーム１の材料となる樹脂には、成型時の離型を良くするために少量の離型剤が含まれている。この離型剤には当然ながら、各々を離れやすくする作用があるために、樹脂フレーム１と接着剤を用いて結合される磁気回路２との結合強度が離型剤の影響を受けて弱くなり、磁気回路２の荷重によりはずれてしまう恐れがあるという品質的な課題を有していた。
【０００９】
本発明は上記課題を解決するもので、樹脂フレームを有するスピーカにおいて、樹脂フレームと他部品との結合強度の向上を図り、品質を向上することを目的とするものである。
【００１０】
【課題を解決するための手段】
上記課題を解決するために本発明のスピーカは、磁気ギャップを形成した磁気回路と、この磁気回路との結合部の表面が金属となるように金属部品を一体にインサート成型した樹脂フレームと、上記磁気ギャップにはまり込むボイスコイルを中心に結合し、外周を上記樹脂フレームに結合した振動板とで構成されたものであり、樹脂フレームの磁気回路との結合部に金属部品を一体にインサート成型することにより、樹脂フレームの磁気回路との結合部の表面が金属となるようにして、樹脂フレームと磁気回路を接着剤等で結合する時に、樹脂フレームの材料である樹脂に含まれる離型剤の影響を受けず、安定した結合強度を得ることができるものである。
【００１１】
【発明の実施の形態】
本発明の請求項１に記載の発明は、磁気ギャップを形成した磁気回路と、この磁気回路との結合部の表面が金属となるように金属部品を一体にインサート成型した樹脂フレームと、上記磁気ギャップにはまり込むボイスコイルを中心に結合し外周を上記樹脂フレームに結合した振動板とで構成し、樹脂フレームの磁気回路との結合部の表面の少なくとも一部が金属となるようにしたので、樹脂フレームと磁気回路を接着剤で結合する時に、樹脂フレームの材料である樹脂に含まれる離型剤の影響を受けず、安定した結合強度を得ることができるものである。
【００１２】
本発明の請求項２に記載の発明は、磁気ギャップを形成した磁気回路と、この磁気回路の上面に結合された樹脂フレームと、上記磁気ギャップにはまり込むボイスコイルを中心に結合し少なくとも外周の一部が上記樹脂フレームに一体にインサート成型された金属部品の表面に結合された振動板とで構成したので、樹脂フレームと振動板を接着剤で結合する時に、樹脂フレームの材料である樹脂に含まれる離型剤の影響を受けず、安定した結合強度を得ることができるとともに、音響的にも安定するものである。
【００１３】
本発明の請求項３に記載の発明は、磁気ギャップを形成した磁気回路と、この磁気回路の上面に結合された樹脂フレームと、上記磁気ギャップにはまり込むボイスコイルを中心に結合し外周が上記樹脂フレームに結合された振動板と、内周が上記ボイスコイルに結合され少なくとも外周の一部が上記樹脂フレームに一体にインサート成型された金属部品の表面に結合されたサスペンションとで構成したので、樹脂フレームとサスペンションを接着剤で結合する時に、樹脂フレームの材料である樹脂に含まれる離型剤の影響を受けず、安定した結合強度を得ることができるとともに、高耐入力性も向上するものである。
【００１４】
以下、本発明の実施の形態について、図１、図２により説明する。
なお、従来技術と同一部分は同一番号を付与し説明を省略して相違点のみ説明する。
【００１５】
（実施の形態１）
図１は本発明の一実施の形態のスピーカの半断面図である。
【００１６】
同図によると、１ａは樹脂フレーム１に一体にインサート成型されたリング状の第１の金属部品であり、表面が露出するように一体成型されている。磁気回路２はこの第１の金属部品１ａの露出部分の全周で接着剤により結合されている。
【００１７】
以上のように構成したので樹脂フレーム１と磁気回路２との結合部が両者とも金属となるので、樹脂フレーム１の材料である樹脂に含まれる接着強度を弱める働きのある離型剤の影響を受けず安定した結合強度を得ることができるものである。
【００１８】
なお、上記実施の形態では第１の金属部品１ａをリング状とし、このリング状の第１の金属部品１ａと磁気回路２が全周にわたって接着剤により結合されるものとして説明したが、スピーカの形態に合わせて適宜設定すれば良く、また充分な結合強度を得られるのであれば第１の金属部品を複数個分割して部分的に樹脂フレーム１に埋め込むように一体にインサート成型し、磁気回路２と樹脂フレーム１の結合を第１の金属部品を介する部分と介さない部分と混在させても良いものである。
【００１９】
また、第１の金属部品１ａは磁気回路２との結合部分が表面に露出しておれば良いのであるから、結合部分以外は樹脂フレーム１内に埋設させることによって、第１の金属部品１ａの衝撃や経年変化による剥離を防止することも可能となる。
【００２０】
（実施の形態２）
図２は本発明の他の実施の形態のスピーカの半断面図であり、樹脂フレーム１は実施の形態１と同様に磁気回路２との結合部分にリング状の第１の金属部品１ａを一体にインサート成型すると共に、振動板３との結合部にリング状の第２の金属部品１ｂを、サスペンション４との結合部にリング状の第３の金属部品１ｃを一体にインサート成型したものである。
【００２１】
以上の構成によって、樹脂フレーム１の振動板３との結合部およびサスペンション４との結合部の表面がそれぞれ金属となるようにし、振動板３やサスペンション４との結合部において、樹脂フレーム１の材料である樹脂に含まれる接着強度を弱める働きのある離型剤の影響を排除して安定した結合強度を得ることができるものである。
【００２２】
なお、本実施の形態におけるリング状の第１、第２、第３の金属部品１ａ，１ｂ，１ｃも実施の形態１と同様その形状は適用されるスピーカに合わせて適宜設定すれば良く、また結合強度的に許容されるものであれば金属部品を複数個分割して部分的に樹脂フレーム１に埋め込むように一体にインサート成型し、磁気回路２と樹脂フレーム１の結合を金属部品を介する部分と介さない部分と混在させても良いものである。
【００２３】
また、本発明は樹脂フレーム１と磁気回路２、振動板３、サスペンション４との結合における樹脂成型時に使用される離型剤の影響を排除し、安定的な結合を得ることを目的とするものであるからその必要に応じ、磁気回路２、振動板３、サスペンション４とのいずれかの結合部分に選択的に適用してもよいものである。
【００２４】
【発明の効果】
以上のように本発明のスピーカは、樹脂フレームの他部品との結合部の表面が金属となるように構成することにより、樹脂フレームの材料である樹脂に含まれる離型剤の影響を受けず、安定した他部品との結合強度を得ることができるものである。
【図面の簡単な説明】
【図１】本発明のスピーカの一実施の形態の半断面図
【図２】同他の実施の形態の半断面図
【図３】従来のスピーカの半断面図
【符号の説明】
１  樹脂フレーム
１ａ  第１の金属部品
１ｂ  第２の金属部品
１ｃ  第３の金属部品
２  磁気回路
３  振動板
４  サスペンション
８  ボイスコイル
９  磁気ギャップ
【図１】
0003911827.tif 000002
【図２】
0003911827.tif 000003
【図３】
0003911827.tif 000004